(57)【要約】【課題】  通常の針溝内で作動可能で編目の確実な目移しを保証する目移しばねを持つ目移し針を提供する。【解決手段】  編機用目移し針１は、初期位置から目移し位置へまた再び初期位置へ戻るように移動可能に支持される目移しばね３を持っている。目移し針１と目移しばね３との間に間隙Ａを形成するため、初期位置から目移し位置への移動の際目移しばね３を転向させる手段２０が設けられている。【選択図】  図１
2006057234.tif 000002
【特許請求の範囲】
【請求項１】
編機用目移し針（１，１′）であって、目移し針（１，１′）が目移しばね（３，３′）を持っているものにおいて、目移しばね（３，３′）がその初期位置から目移し位置へまた再び初期位置へ戻るように移動可能に支持され、初期位置から目移し位置へ移動の際目移しばね（３，３′）を転向させる手段（２０）が、目移し針（１，１′）と目移しばね（３，３′）との間に間隙（Ａ）を形成するために設けられていることを特徴とする、目移し針。
【請求項２】
目移し針（１，１′）の長さ方向に延びる少なくとも１つの溝（１７，１７′）に、目移し針（３，３′）が案内されていることを特徴とする、請求項１に記載の目移し針。
【請求項３】
針本体（１１）の一方の側面に形成される第１の溝（１７′）が設けられて、他方の側面に設けられる第２の溝（１７）に続き、第２の溝（１７）が一方の側面に形成される第３の溝（１８）に続き、針本体（１１）が、第１の溝（１７′）の終端と第２の溝（１７）の始端との間及び第２の溝（１７）の終端と第３の溝（１８）の始端との間に、それぞれ穴（１９，１９′）を持ち、目移しばね（３，３′）が溝（１７，１７′，１８）に支持され、穴（１９，１９′）に通されていることを特徴とする、請求項２に記載の目移し針。
【請求項４】
目移しばね（３）の角形屈曲部分（３１）が第１の溝（１７′）に設けられていることを特徴とする、請求項３に記載の目移し針。
【請求項５】
目移しばね（３）の突起（３２）が、初期位置において第３の溝（１８）に設けられていることを特徴とする、請求項３に記載の目移し針。
【請求項６】
転向手段が、目移し針（１，１′）の針胸部（１５）の後にある斜面（２０）により形成され、初期位置から目移し位置への目移しばね（３，３′）の移動の際、この斜面（２０）が目移しばね（３，３′）の突起（３２）を針本体（１１）から押し離すことを特徴とする、請求項１〜５の１つに記載の目移し針。
【請求項７】
目移しばね（３，３′）が、初期位置と目移し位置との間で目移しばね（３，３′）を移動させるバットを持っていることを特徴とする、請求項１〜６の１つに記載の目移し針。
【発明の詳細な説明】
【技術分野】
【０００１】  本発明は、編機用目移し針であって、目移し針が目移しばねを持っているものに関する。
【背景技術】
【０００２】  目移しばねを持つ目移し針は、例えばドイツ連邦共和国特許出願公開第３１４５７０８号明細書により公知である。【０００３】  針から針へのすべての目移し方法のために目移し針が必要とされ、編目の引渡し位置に間隙があり、編目を引受けるため、引受け針のかぎをこの間隙へ通すことができる。【０００４】  従来技術によれば、この間隙を形成するため、目移しばねが使用される。公知の目移しばねは、針胸部の範囲で針の側面に固定的に結合されている。目移しばねと目移しばねの針頸部との間の間隙は、目移しばねの曲げ形状により決定される。【０００５】  ２つの種類の目移しばね、即ち引込みばね及び箱ばねが公知である。【０００６】  例えばドイツ連邦共和国実用新案第１３８９８１８号に示されているように、引込みばねでは、引込みばねが針溝から突出するまで、目移し針が押出されると、板ばねの弾性により間隙が形成される。目移し針が再び引込まれると、針溝壁が引込みばねをその平らな位置へ押込む。引込みばねを持つ目移し針は、簡単に製造される針溝内で作動させることができるという利点を持っている。欠点として、弾性引込みばねは編目の側方引張りにより変形されて、引受け針のかぎのために充分な間隙が存在しないことである。従って目移し過程が確実に行われない。【０００７】  例えばドイツ連邦共和国特許出願公開第３１４５７０８号明細書に示されているように、箱ばねでは、角のあるように曲げられた板ばねにより間隙が形成され、この板ばねは目移し針の針胸部の所まで比較的幅広で、剛性的である。目移し針の針頸部の範囲において初めて、その幅が減少しているので、目移しばねにある程度の弾性がある。箱ばねを持つ目移し針では、編目の側方引張りにより、間隙は引込みばねにおけるほど大きくは変化しない。従って目移し過程は比較的確実である。欠点として、箱ばねが常に針頸部から突出し、針溝内に更に付加的な切欠きが必要である。この切欠きの形状は高い技術的費用を必要とする。
【発明の開示】
【発明が解決しようとする課題】
【０００８】  本発明の課題は、通常の針溝内で使用できかつ編目の確実な目移しを保証する目移しばね付き目移し針を提供することである。【０００９】  この課題は、編機の目移し針において、目移し針が目移しばねを持ち、この目移しばねがその初期位置から目移し位置へまた再び初期位置へ戻るように移動可能に支持され、初期位置から目移し位置へ移動の際目移しばねを転向させる手段が、目移し針と目移しばねとの間に間隙を形成するために設けられていることによって、解決される。目移し位置で、目移しばねと目移し針の針頸部との間に間隙が形成されるように目移しばねが転向され、この間隙を通って目移し針のかぎが滑ることができる。【００１０】  目移しばねの支持及び案内は、目移し針の長さ方向に延びる目移し針の少なくとも１つの溝によって行うことができる。針本体の一方の側面に形成される第１の溝が設けられて、他方の側面に設けられる第２の溝に続き、第２の溝が一方の側面に形成される第３の溝に続いているのがよい。目移し針は両方の溝により高さ規定を受ける。目移しばねの側方規定は、角形に屈曲される範囲により両端で行われ、この範囲は不動作状態で第３の溝に設けられている。【００１１】  目移しばねを転向させるため技術的に簡単に実現される手段は、目移し針の針胸部の後の斜面により形成することができる。初期位置から目移し位置への目移しばねの移動の際、目移しばねの突起が針本体から押し離される。引受け針がはまる間隙は、針本体と目移しばねとの間、又は目移し針の針胸部に接する編目の前に生じる。従って間隙は編目の側方引張りの影響を受けない。【００１２】  初期位置と目移し位置との間における目移しばねの運動は、目移しばねのバットを介して簡単に行われる。バットは編成カムによって動かすことができる。【００１３】  本発明の好ましい実施例が図面に示されており、図により詳細に説明される。
【発明を実施するための最良の形態】
【００１４】  図１のａ）からわかるように、目移し針１は針本体１１に案内される目移しばね３を持ち、この目移しばね３は、針本体１１の長さ方向に、初期位置ＧＰから両方向矢印５０の一方の方向に目移し位置ＵＰへ、また他の方向に再び初期位置へ戻るように移動可能である。【００１５】  目移し針１の針頸部１２、かぎ１３、針べら１５及び切欠き１６は、公知の剛性箱目移しばねを持つ目移し針に大幅に一致している。【００１６】  針本体１１は、側面に沿って溝１７を持ち、この溝が目移しばね３に対して案内部及び滑り面を形成するように、溝の深さ及び高さを形成されている。【００１７】  針胸部１５により形成される針本体１１の端部において、溝１７はその全高さに穴１９を持ち、この穴１９は針胸部１５の方へ斜面２０で終わっている。【００１８】  溝１８が、穴１９の斜面２０から針頸部１２の方へ延びている。溝１８の下側は溝１７の下側と同じ高さにある。溝１８の高さは突起３２の幅に従っている。溝１８の深さは突起３２の厚さに少なくとも一致している。【００１９】  針胸部１５から離れた範囲において、溝１７はその全高さに別の穴１９′を持っている。この穴１９′の端部から針バット１０の方へ、溝１７′が針本体１１の溝１７とは反対側の側面に延びている。溝１７′は溝１７と同じ高さ及び深さを持っている。目移しばね３は、その平らな範囲を溝１７内に案内され、その角形屈曲部分３１を溝１７′内に案内されている。【００２０】  目移しばね３の側方規定は、溝１７′内に案内される角形屈曲部分３１により、また溝１８にはまる角形に屈曲した突起３２によって行われる。なぜならば、溝１７′及び１８は、溝１７とは反対の側にある針本体１１の側面にあるからである。【００２１】  図１のｂ）は、目移しばね３の大部分及び溝１７が見える側で目移し針を示している。両方向矢印５０（図１のａ））の方向における目移しばね３の運動はバット３３を介して導入される。【００２２】  図１のｃ）によれば、目移しばね３は初期位置にある。目移しばね３の角形屈曲部分３１は穴１９′を通り、溝１７′内にある。角形に屈曲した突起３２は穴１９を通り、溝１８内にある。【００２３】  図１のｄ）によれば、目移しばね３は目移し位置にある。初期位置から目移し位置への運動の際、目移しばね３の側面が斜面２０に接触し、それにより平らな位置から偏向される。目移し位置においてこの偏向は、突起３２と針頸部１２との間に所定の間隙Ａが生じるような大きさである。【００２４】  目移しばね３が再び初期位置へ移動せしめられると、突起３２が針頸部１２の溝１８へ入る。間隙Ａが再びなくなる。【００２５】
2006057234.tif 000003
初期位置にある。図は概略的であり、引渡し針１、引受け針１′、編物６１及び中間面１００のみを示している。編目６は引渡し針１のかぎ１３にある。引渡し針１の目移しばね３及び引受け針１′の目移しばね３′は、初期位置で示されている。図示した目移し方法の全過程の間、引受け針１′の目移しばね３′は初期位置に留まる。【００２６】  図３によれば、引渡し針１は、矢印６０の方向に最大押出し位置へもたらされる。その際編目６は針かぎ１３から針頸部１２上へ滑り運動を行い、遂に針胸部１５に当接する。編目６の側辺は今や目移しばね３の突起３２上にある。【００２７】  図４によれば、引渡し針１及び引受け針１′の位置はまだ変わっていない。引渡し針１の目移しばね３が矢印７０の方向に今や目移し位置へ動かされる。目移しばね３のこの運動により、その突起３２が針頸部１２から離れるので、突起内側と針頸部１２との間に開口が生じ、引受け針１′のかぎ１３′がこの開口へ入り込むことができる。突起３２と針頸部１２との間の開口は編目６の側辺の前に生じる。従って編目の側方引張りがこの開口の幅を変化することはない。【００２８】  図５によれば、目移しばねの位置が不変な状態で、引渡しばね１が、矢印６５の方向に、引受け針１′の入り込み位置へ動かされる。引受け針１′が矢印８０の方向に動かされ、そのかぎ１３′が突起３２と針頸部１２との間の開口へ導入される。【００２９】  図６によれば、引渡し針１が矢印７０の方向に引渡し位置へ動かされ、目移しばねの位置は不変である。引受けばね１′が、矢印８０の方向に、編目６の引受け位置へ動かされる。引受け針１′は目移しばね３の突起３２と針頸部１２との間を通って、従って編目６を通って滑る。【００３０】  図７によれば、引渡し針１は引渡し位置にあり、引き受け針１′は最大の引き受け位置にある。【００３１】  図８によれば、目移しばねの位置が不変な状態で、引渡し針１が矢印６５の方向に動かされ、引き受け針１′が矢印８５の方向に動かされる。【００３２】  図９によれば、目移しばね３が矢印７５の方向に初期位置へ動かされている。引渡し針１は矢印６５の方向に動かされる。引き受け針１′は編目６をそのかぎ１３′内に持ち、引渡し針１が初期位置にあるまで、引き受け針１′はその位置をもはや変化しない。【００３３】  図１０によれば、引渡し針１及び引受け針１′は初期位置にある。編目６は引受け針１′のかぎ１３′内にあり、それにより本発明による目移し過程が終了している。【００３４】  図示した例では、針１は引渡し針であり、針１′は引受け針である。もちろん針１′が引渡し針であり、針１が引受け針であってもよい。なぜならば、両方の針は同じに構成されているからである。
【図面の簡単な説明】
【００３５】
【図１】  ａ）は目移し針の一方の側の側面図、ｂ）は目移し針の他方の側の側面図、ｃ）は図１のＡ−Ａ線による目移し針の断面図、ｄ）は図１のＢ−Ｂ線による断面図を示す。
【図２】  目移し針から対向する目移し針への目移し過程の第１段階を示す。
【図３】  目移し過程の第２段階を示す。
【図４】  目移し過程の第３段階を示す。
【図５】  目移し過程の第４段階を示す。
【図６】  目移し過程の第５段階を示す。
【図７】  目移し過程の第６段階を示す。
【図８】  目移し過程の第７段階を示す。
【図９】  目移し過程の第８段階を示す。
【図１０】  目移し過程の第９段階を示す。
【符号の説明】
【００３６】  １，１′            目移し針
３，３′            目移しばね
２０                転向手段（斜面）
Ａ                  間隙
【図１】
2006057234.tif 000004
【図２】
2006057234.tif 000005
【図３】
2006057234.tif 000006
【図４】
2006057234.tif 000007
【図５】
2006057234.tif 000008
【図６】
2006057234.tif 000009
【図７】
2006057234.tif 000010
【図８】
2006057234.tif 000011
【図９】
2006057234.tif 000012
【図１０】
2006057234.tif 000013